(57)【特許請求の範囲】
【請求項１】
ツーバイフォー構法によるユニット住宅を構成する予め形成された住宅ユニットを吊り上げるための吊上げ金具構造であって、
前記住宅ユニットは、矩形形状に配置された下枠と、該下枠から立設して配置された複数の縦枠と、前記下枠と同様の矩形形状に配置されると共に前記複数の縦枠の上端面を当接させてこれらを一体固定する上枠及び頭つなぎとからなり、前記矩形形状の角部分に配置される前記縦枠の上端部側面には、上方に配置される別の住宅ユニットを連結するための連結金具が、前記上枠及び頭つなぎを貫通させて連結ボルト部を上方に突出させた状態で取り付けられており、
且つ一対のＬ字形断面部を背向かいに配置すると共にその上端を平板部で連結してなるハット形断面の吊上げ支持金具を、前記頭つなぎの上面に沿って前記角部分に配置し、前記連結金具の連結ボルト部の上端をナット部材を介して前記吊上げ支持金具の前記平板部に固定すると共に、前記連結ボルト部の固定箇所よりも前記住宅ユニットの中央側にずらした位置において、吊上げ用シャックル金具が前記Ｌ字形断面部の立ち上がり部分を両側から挟み込むようにして取り付けられることを特徴とする住宅ユニットの吊上げ金具構造。
【請求項２】
前記頭つなぎの上面に沿って配置される前記吊上げ支持金具の前記連結ボルト部の固定箇所よりも外側の延設部分が、前記角部分に配置される縦枠の直上部分に位置している請求項１記載の住宅ユニットの吊上げ金具構造。
【発明の詳細な説明】
【０００１】
【発明の属する技術分野】
本発明は、ツーバイフォー構法によるユニット住宅を構成する予め形成された住宅ユニットを吊り上げるための吊上げ金具構造に関する。
【０００２】
【従来の技術及び発明が解決しようとする課題】
近年、住宅建築物の施工の迅速化や高精度化を図るべく、予め工場等で形成された複数の住宅ユニットを建築現場で組み立てて構築するユニット住宅が開発されている。このようなユニット住宅においては、形成された各住宅ユニットを例えば運送用のトラック等に積み込んで建築現場に搬入し、例えばクレーン等の吊り上げ用の重機を用いて吊り上げて、他の住宅ユニットと共に接合一体化することによって組み立てる。
【０００３】
一方、住宅の骨組みを構成する木材の種類を少なくして施工することが可能なツーバイフォー構法によるユニット住宅においては、矩形形状に配置された下枠と、この下枠から立設して配置された複数の縦枠と、下枠と同様の矩形形状に配置されると共に複数の縦枠の上端面を当接させてこれらを一体固定する上枠及び頭つなぎとからなる住宅ユニットが用いられる場合が多く、このような住宅ユニットは、例えばこれの角部に配置される縦枠の上端部側面に上枠及び頭つなぎを貫通させて取り付けた連結金具等を介して、上方に配置される他の住宅ユニット等と接合一体化されることになる。
【０００４】
このような住宅ユニットは、建築現場に搬入された後にクレーン等によって吊り上げる際に、風等による外力に対して安定した状態とすることができ、且つ玉掛け作業や吊り上げ作業等を迅速且つ容易に行うことができるようにするために、適切な吊り下げ用の金具を選択する必要があるが、従来のシャックルやアイナット等からなる吊り金具を単に転用しただけでは、上述の構成の住宅ユニットを安定した状態で迅速に吊り上げることが困難である。また上述の構成の住宅ユニットに専用の吊り下げ金具として複雑な機構のものを採用すると、コストがかかることになると共に、作業に手間取って却って迅速な作業ができなくなる。
【０００５】
本発明は、このような従来の課題に着目してなされたものであり、簡易な機構であるにもかかわらず、住宅ユニットを迅速かつ安定した状態で容易に吊り上げることを可能にする住宅ユニットの吊上げ金具構造を提供することを目的とする。
【０００６】
【課題を解決するための手段】
本発明は、ツーバイフォー構法によるユニット住宅を構成する予め形成された住宅ユニットを吊り上げるための吊上げ金具構造であって、前記住宅ユニットは、矩形形状に配置された下枠と、該下枠から立設して配置された複数の縦枠と、前記下枠と同様の矩形形状に配置されると共に前記複数の縦枠の上端面を当接させてこれらを一体固定する上枠及び頭つなぎとからなり、前記矩形形状の角部分に配置される前記縦枠の上端部側面には、上方に配置される別の住宅ユニットを連結するための連結金具が、前記上枠及び頭つなぎを貫通させて連結ボルト部を上方に突出させた状態で取り付けられており、且つ一対のＬ字形断面部を背向かいに配置すると共にその上端を平板部で連結してなるハット形断面の吊下げ支持金具を、前記頭つなぎの上面に沿って前記角部分に配置し、前記連結金具の連結ボルト部の上端をナット部材を介して前記吊下げ支持金具の前記平板部に固定すると共に、前記連結ボルト部の固定箇所よりも前記住宅ユニットの中央側にずらした位置において、吊上げ用シャックル金具が前記Ｌ字形断面部の立ち上がり部分を両側から挟み込むようにして取り付けられることを特徴とする住宅ユニットの吊下げ金具構造を提供することにより、上記目的を達成したものである（請求項１記載の発明）。
【０００７】
また、本発明の住宅ユニットの吊下げ金具構造によれば、前記頭つなぎの上面に沿って配置される前記吊下げ支持金具の前記連結ボルト部の固定箇所よりも外側の延設部分が、前記角部分に配置される縦枠の直上部分に位置していることが好ましい（請求項２記載の発明）。
【０００８】
【発明の実施の形態】
以下本発明の好ましい実施形態を添付図面を参照しつつ詳細に説明する。本実施形態の吊上げ金具構造１２（図２，図３参照）は、例えば図１に示すようなツーバイフォー構法によるユニット住宅１０において、当該ユニット住宅１０を構成する複数の住宅ユニットのうち、後述する特有の構成を有する住宅ユニット１１を各々迅速かつ安定した状態で容易に吊り上げるたの金具構造として採用されたものである。
【０００９】
すなわち、本実施形態によれば、吊上げ金具構造１２が採用される住宅ユニット１１は、図１及び図２に示すように、平面形状が矩形形状となるように配置された下枠１３と、下枠１３から立設して配置された複数の縦枠１４と、平面形状が下枠１３と同様の矩形形状となるように配置されると共に、複数の縦枠１４の上端面を当接させてこれらを一体固定する上枠１５及び頭つなぎ１６とからなり、これらの住宅ユニット１１には、これらが建築現場で据え付けられた後に、壁仕上げ材１７やその他の建築部材が適宜取り付けられることになる。なお、本実施形態によれば、下枠１３、縦枠１４、上枠１５、及び頭つなぎ１６は、いずれも、ツーバイフォー構法用の材料として一般に用いられる例えば２インチ×４インチの矩形断面形状を有する木製棒状部材によって構成されている。また、本実施形態によれば、角部分に配置される縦枠１４は、一対の木製棒状部材を重ね合わせた合せスタッドの構成を備えている。
【００１０】
そして、本実施形態の吊上げ金具構造１２は、予め工場等で形成され、トラック等によって運送搬入された上述の構成を有する住宅ユニット１１を、建築現場で吊り上げて据え付ける際に使用するものである。本実施形態の吊上げ金具構造１２によれば、図３（ａ）〜（ｃ）にも拡大して示すように、平面矩形形状の住宅ユニット１１の角部分に配置される合せスタッドによる縦枠１４の上端部側面には、上方に配置される別の住宅ユニットを連結するための連結金具１８が、上枠１５及び頭つなぎ１６を貫通させて連結ボルト部１９を上方に突出させた状態で取り付けられており、且つ一対のＬ字形断面部２０を背向かいに配置すると共にその上端を平板部２１で連結してなるハット形断面の吊上げ支持金具２２を、頭つなぎ１６の上面に沿って矩形形状の角部分に配置する。そして連結金具１８の連結ボルト部１９の上端をナット部材２３を介して吊上げ支持金具２２の平板部２１に固定すると共に、連結ボルト部１９の固定箇所よりも住宅ユニット１１の中央側Ｃにずらした位置において、吊上げ用シャックル金具２４がＬ字形断面部２０の立ち上がり部分２５を両側から挟み込むようにして取り付けられて、吊下げ金具構造１２が構成されている。
【００１１】
本実施形態によれば、角部分に配置された縦枠１４に取り付けられる連結金具１８は、羽子板ボルトからなり、その羽子板部２６が縦枠１４の内側を向いた一方の側面に固定ボルト２７を介して強固に固定されていると共に、その連結ボルト部１９が、上枠１５及び頭つなぎ１６に予め貫通形成されていたボルト挿入孔に挿通され、上端部を頭つなぎ１６の上面から上方に突出させた状態で取り付けられている。この連結金具１８の連結ボルト部１９には、当該住宅ユニット１１が建築現場の所定の位置に据え付けられて吊上げ用シャックル金具２４や吊上げ支持金具２２が取り除かれた後に、上方に一体接合される他の住宅ユニットの底部に設けられた接合金具が係止されることになる。
【００１２】
また、頭つなぎ１６の上面に沿って平面矩形形状の住宅ユニット１１の角部分に配置される吊上げ支持金具２２は、厚さが例えば３〜６ｍｍ程度の金属製プレートを折り曲げ加工して、一対のＬ字形断面部２０を背向かいに配置して上端を平板部２１で連結したハット形断面に形成される。また吊上げ支持金具２２は、平面形状が例えば幅６０〜１００ｍｍ、長さ１００〜３００ｍｍ程度の矩形形状となっており、その中央の１０〜３５ｍｍ程度の幅の部分が４０〜８０ｍｍ程度の高さで突出して、立ち上がり部分２５を形成している。さらに、立ち上がり部分２５の天端面である平板部２１には、長手方向中央から片側に偏心して、ボルト固定孔２８が開口形成されていると共に、立ち上がり部分２５の側面には、ボルト固定孔２８よりもさらに片側に偏心した位置に、一対のＬ字形断面部２０の各々に同心状に開口形成されて、シャックル取付け孔２９が設けられている。
【００１３】
そして、本実施形態によれば、吊上げ支持金具２２は、頭つなぎ１６の上面において、ボルト固定孔２８及びシャックル取付け孔２９が偏心して設けられた側と反対側の部分を外側にした状態で頭つなぎ１６の上面に沿って配置され、平板部２１のボルト固定孔２８に連結金具１８の連結ボルト部１９の上端を挿通させて、ナット部材２３を締めつけることにより住宅ユニット１１の角部分に固定される。これによって、シャックル取付け孔２９は、連結金具１８の連結ボルト部１９が固定されたボルト固定孔２８よりも住宅ユニット１０の中央側Ｃにずれた位置に配置されると共に、ボルト固定孔２８による固定箇所を挟んだシャックル取付け孔２９と反対側の部分は、外側に延設して、当該延設部分が、角部分に配置される縦枠１４の直上部分に位置している。なお、ここで、住宅ユニット１０の中央側Ｃは、平面矩形形状の各辺部に直線上に配置された頭つなぎ１６に沿って当該頭つなぎ１６の端部に向かう方向とは反対側に向かう方向を意味し、平面矩形形状の中心に向かう方向と必ずしも一致するものではない。また連結金具１８のシャックル取付け孔２９と反対側の部分が延設する外側は、頭つなぎ１６に沿って当該頭つなぎ１６の端部に向かう方向を意味する。
【００１４】
シャックル取付け孔２９に取り付けられる吊上げ用シャックル金具２４は、吊り上げ用の金具として玉掛け作業に用いられる公知の各種のシャックルを使用することができ、リング状の係止部３０の切り欠き部分に一対のボルト取付け部３１を間隔をおいて平行に接合一体化してなるシャックル本体３２と、ボルト取付け部３１のボルト穴３３に挿入されて、先端雄ネジ部を一方のボルト穴３３に形成された雌ネジに螺合することによって装着される取付けボルト３４とからなる。吊上げ用シャックル金具２４は、シャックル本体３２の一対のボルト取付け部３１によって吊上げ支持金具２２の立ち上がり部分２５を挟み込むように配置されると共に、ボルト取付け部３１のボルト穴３３を吊上げ支持金具２２のシャックル取付け孔２９に位置合わせし、しかる後にボルト穴３３及びシャックル取付け孔２９に連続して挿通されるように取付けボルト３４を装着固定することによって、吊上げ用シャックル金具２４が住宅ユニット１１の角部分に取り付けられる。
取り付けられた吊上げ用シャックル金具２４のリング状の係止部３０には、例えばクレーン等の吊り上げ用の重機のワイヤーに取り付けられた吊上げ用フックが係止されて、従来と同様の玉掛け作業によって、住宅ユニット１１が吊り上げられることになる。
【００１５】
そして、本実施形態の吊上げ金具構造１２によれば、簡易な機構であるにもかかわらず、住宅ユニットを迅速かつ安定した状態で容易に吊り上げることが可能になる。すなわち、本実施形態によれば、吊上げ金具構造１２は、上下の住宅ユニットを連結するための連結金具１８と、ハット形断面の吊上げ支持金具２２と、玉掛け作業に一般に用いられる吊上げ用シャックル金具２４とを用いた簡易な構成からなり、連結金具１８は住宅ユニットの連結に必要な金具をそのまま無駄なく玉掛け作業に利用して用いることができ、また吊上げ支持金具２２は金属製プレートを折り曲げ加工して容易に形成することができると共に、公知の吊上げ用シャックル金具２４を用いることによって、安価かつ迅速に住宅ユニット１１の吊上げ作業を行うことが可能になる。
【００１６】
また、本実施形態によれば、連結金具１８の連結ボルト部１９の固定箇所よりも住宅ユニット１１の中央側Ｃにずらした（オフセットした）位置において、吊上げ用シャックル金具２４が吊上げ支持金具２２に取り付けられているので、住宅ユニット１１の吊り上げ時の吊上げ力によって、吊上げ支持金具２２には連結ボルト部１９の固定箇所を中心としたモーメント力Ｍが生じることになる。このモーメント力Ｍによって、吊上げ支持金具２２の外側への延設部分による下方への押圧力Ｆが生じることになるので、このようなてこの原理によって大きな局部応力が生じやすい住宅ユニット１１の角部分を押圧力Ｆにより押さえつけて、過度の応力集中を回避しつつ住宅ユニット１１を安定した状態で吊り上げることが可能になる。
【００１７】
さらに、本実施形態によれば、頭つなぎ１６の上面に沿って配置される吊上げ支持金具２２の連結ボルト部１９の固定箇所よりも外側の延設部分が、角部分に配置される縦枠１４の直上部分に位置しているので、特に応力の集中を生じやすい偶角部において、押圧力Ｆにより縦枠１４をこれの軸方向に押さ付けることができ、これによってさらに安定した状態で住宅ユニット１１を吊り上げることが可能になる。
【００１８】
なお、本発明は上記実施形態に限定されることなく種々の変更が可能である。例えば、連結金具１８は羽子板ボルトからなるものである必要は必ずしもなく、また吊上げ支持金具の連結ボルト部の固定箇所よりも外側の延設部は、角部分に配置される縦枠の直上部分に位置させる必要は必ずしもない。
【００１９】
【発明の効果】
【００２０】
本発明の住宅ユニットの吊上げ金具構造によれば、簡易な機構であるにもかかわらず、住宅ユニットを迅速かつ安定した状態で容易に吊り上げることができる。
【図面の簡単な説明】
【図１】本発明の吊上げ金具構造が採用される、複数の住宅ユニットからなるユニット住宅を例示する略示斜視図である。
【図２】本発明の一実施形態に係る吊上げ金具構造の取付け状況を説明する図１のＡ部拡大図である。
【図３】本発明の一実施形態に係る吊上げ金具構造の構成を説明する、（ａ）は側面図、（ｂ）は正面図、（ｃ）は平面図である。
【符号の説明】
１０  ツーバイフォー構法によるユニット住宅
１１  住宅ユニット
１２  吊上げ金具構造
１３  下枠
１４  縦枠
１５  上枠
１６  頭つなぎ
１７  壁仕上げ材
１８  連結金具
１９  連結ボルト部
２０  Ｌ字形断面部
２１  平板部
２２  吊上げ支持金具
２３  ナット部材
２４  吊上げ用シャックル金具
２５  立ち上がり部分
２８  ボルト固定孔
２９  シャックル取付け孔
３０  リング状の係止部
３１  ボルト取付け部
３２  シャックル本体
３３  ボルト穴
３４  取付けボルト
Ｃ  中央側
Ｍ  モーメント力
Ｆ  押圧力
【図１】
0003867130.tif 000002
【図２】
0003867130.tif 000003
【図３】
0003867130.tif 000004